【手続補正書】
【提出日】平成21年9月28日(2009.9.28)
【手続補正１】
【補正対象書類名】特許請求の範囲
【補正対象項目名】全文
【補正方法】変更
【補正の内容】
【特許請求の範囲】
【請求項１】
ガスタービン本体と、このガスタービン本体の下流側に設けた排気ガスダクトと、燃料ガスを圧縮空気とともに燃焼して前記ガスタービン本体を回転させるための燃焼ガスを生成する燃焼器と、この燃焼器に接続した燃料ガス配管と、この燃料ガス配管に設けた燃料ガス遮断弁と、この燃料ガス遮断弁と前記燃焼器との間で前記燃料ガス配管に接続したパージガス配管と、このパージガス配管に設けたパージガス遮断弁と、前記ガスタービン本体とともに回転して圧縮した空気を前記燃焼器へ供給するコンプレッサとを備えたガスタービンの起動停止方法であって、
ガスタービン停止時には、前記燃料ガス遮断弁を閉じた後、前記パージガス遮断弁を所定時間開けることよって、前記燃料ガス配管、前記燃焼器、前記ガスタービン本体及び前記排気ガスダクトに残った燃焼ガスを、パージガスより押し出す一方、
ガスタービン起動時には、
前記燃料ガス遮断弁を開けて、前記ガスタービン停止時に前記燃料ガス遮断弁と前記燃焼器との間の前記燃料ガス配管に残った前記パージガスを、前記燃料ガスにより押し出す燃料ガス配管パージを実施し、その後、前記燃料ガス遮断弁を再度開くことにより、前記燃料ガスを前記燃焼器へ供給して点火することを特徴とするガスタービンの起動停止方法。
【請求項２】
前記ガスタービン起動時には、
回転駆動手段によって昇速される前記ガスタービン本体の回転数が所定の着火回転数に達したときから、第１の所定時間が経過するまでの間、前記ガスタービン停止時に前記排気ガスダクトに残った前記燃料ガスを、前記コンプレッサの圧縮空気により押し出す第１の排気ガスダクトパージと、
前記第１の所定時間が経過したときから、第２の所定時間が経過するまでの間、前記燃料ガス遮断弁を開けて、前記ガスタービン停止時に前記燃料ガス遮断弁と前記燃焼器との間の前記燃料ガス配管に残った前記パージガスを、前記燃料ガスにより押し出す燃料ガス配管パージと、
前記第２の所定時間が経過したときから、第３の所定時間が経過するまでの間、前記燃料ガス配管パージのときに前記排気ガスダクトに残った前記燃料ガスを、前記コンプレッサの圧縮空気により押し出す第２の排気ガスダクトパージと、
を順次実施するようにしたことを特徴とする請求項１に記載のガスタービンの起動停止方法。
【請求項３】
ガスタービン本体と、このガスタービン本体の下流側に設けた排気ガスダクトと、燃料ガスを圧縮空気とともに燃焼して前記ガスタービン本体を回転させるための燃焼ガスを生成する燃焼器と、この燃焼器に接続した燃料ガス配管と、この燃料ガス配管に設けた燃料ガス遮断弁と、この燃料ガス遮断弁と前記燃焼器との間で前記燃料ガス配管に接続したパージガス配管と、このパージガス配管に設けたパージガス遮断弁と、前記ガスタービン本体とともに回転して圧縮した空気を前記燃焼器へ供給するコンプレッサとを備えたガスタービンの起動停止制御装置であって、
ガスタービン停止時には、前記燃料ガス遮断弁を閉じた後、前記パージガス遮断弁を所定時間開けることよって、前記燃料ガス配管、前記燃焼器、前記ガスタービン本体及び前記排気ガスダクトに残った燃焼ガスを、パージガスより押し出す一方、
ガスタービン起動時には、
前記燃料ガス遮断弁を開けて、前記ガスタービン停止時に前記燃料ガス遮断弁と前記燃焼器との間の前記燃料ガス配管に残った前記パージガスを、前記燃料ガスにより押し出す燃料ガス配管パージを実施し、その後、前記燃料ガス遮断弁を再度開くことにより、前記燃料ガスを前記燃焼器へ供給して点火するように制御することを特徴とするガスタービンの起動停止制御装置。
【請求項４】
前記ガスタービン起動時には、
回転駆動手段によって昇速される前記ガスタービン本体の回転数が所定の着火回転数に達したときから、第１の所定時間が経過するまでの間、前記ガスタービン停止時に前記排気ガスダクトに残った前記燃料ガスを、前記コンプレッサの圧縮空気により押し出す第１の排気ガスダクトパージと、
前記第１の所定時間が経過したときから、第２の所定時間が経過するまでの間、前記燃料ガス遮断弁を開けて、前記ガスタービン停止時に前記燃料ガス遮断弁と前記燃焼器との間の前記燃料ガス配管に残った前記パージガスを、前記燃料ガスにより押し出す燃料ガス配管パージと、
前記第２の所定時間が経過したときから、第３の所定時間が経過するまでの間、前記燃料ガス配管パージのときに前記排気ガスダクトに残った前記燃料ガスを、前記コンプレッサの圧縮空気により押し出す第２の排気ガスダクトパージと、
を順次実施するようにしたことを特徴とする請求項３に記載のガスタービンの起動停止制御装置。
【手続補正２】
【補正対象書類名】明細書
【補正対象項目名】００１５
【補正方法】変更
【補正の内容】
【００１５】
上記課題を解決する第１発明のガスタービンの起動停止方法は、ガスタービン本体と、このガスタービン本体の下流側に設けた排気ガスダクトと、燃料ガスを圧縮空気とともに燃焼して前記ガスタービン本体を回転させるための燃焼ガスを生成する燃焼器と、この燃焼器に接続した燃料ガス配管と、この燃料ガス配管に設けた燃料ガス遮断弁と、この燃料ガス遮断弁と前記燃焼器との間で前記燃料ガス配管に接続したパージガス配管と、このパージガス配管に設けたパージガス遮断弁と、前記ガスタービン本体とともに回転して圧縮した空気を前記燃焼器へ供給するコンプレッサとを備えたガスタービンの起動停止方法であって、
ガスタービン停止時には、前記燃料ガス遮断弁を閉じた後、前記パージガス遮断弁を所定時間開けることよって、前記燃料ガス配管、前記燃焼器、前記ガスタービン本体及び前記排気ガスダクトに残った燃焼ガスを、パージガスより押し出す一方、
ガスタービン起動時には、
前記燃料ガス遮断弁を開けて、前記ガスタービン停止時に前記燃料ガス遮断弁と前記燃焼器との間の前記燃料ガス配管に残った前記パージガスを、前記燃料ガスにより押し出す燃料ガス配管パージを実施し、その後、前記燃料ガス遮断弁を再度開くことにより、前記燃料ガスを前記燃焼器へ供給して点火することを特徴とする。
また、第２発明のガスタービンの起動停止方法は、第１発明のガスタービンの起動停止方法において、
前記ガスタービン起動時には、
回転駆動手段によって昇速される前記ガスタービン本体の回転数が所定の着火回転数に達したときから、第１の所定時間が経過するまでの間、前記ガスタービン停止時に前記排気ガスダクトに残った前記燃料ガスを、前記コンプレッサの圧縮空気により押し出す第１の排気ガスダクトパージと、
前記第１の所定時間が経過したときから、第２の所定時間が経過するまでの間、前記燃料ガス遮断弁を開けて、前記ガスタービン停止時に前記燃料ガス遮断弁と前記燃焼器との間の前記燃料ガス配管に残った前記パージガスを、前記燃料ガスにより押し出す燃料ガス配管パージと、
前記第２の所定時間が経過したときから、第３の所定時間が経過するまでの間、前記燃料ガス配管パージのときに前記排気ガスダクトに残った前記燃料ガスを、前記コンプレッサの圧縮空気により押し出す第２の排気ガスダクトパージと、
を順次実施するようにしたことを特徴とする。
【手続補正３】
【補正対象書類名】明細書
【補正対象項目名】００１６
【補正方法】変更
【補正の内容】
【００１６】
また、第３発明のガスタービンの起動停止制御装置は、ガスタービン本体と、このガスタービン本体の下流側に設けた排気ガスダクトと、燃料ガスを圧縮空気とともに燃焼して前記ガスタービン本体を回転させるための燃焼ガスを生成する燃焼器と、この燃焼器に接続した燃料ガス配管と、この燃料ガス配管に設けた燃料ガス遮断弁と、この燃料ガス遮断弁と前記燃焼器との間で前記燃料ガス配管に接続したパージガス配管と、このパージガス配管に設けたパージガス遮断弁と、前記ガスタービン本体とともに回転して圧縮した空気を前記燃焼器へ供給するコンプレッサとを備えたガスタービンの起動停止制御装置であって、
ガスタービン停止時には、前記燃料ガス遮断弁を閉じた後、前記パージガス遮断弁を所定時間開けることよって、前記燃料ガス配管、前記燃焼器、前記ガスタービン本体及び前記排気ガスダクトに残った燃焼ガスを、パージガスより押し出す一方、
ガスタービン起動時には、
前記燃料ガス遮断弁を開けて、前記ガスタービン停止時に前記燃料ガス遮断弁と前記燃焼器との間の前記燃料ガス配管に残った前記パージガスを、前記燃料ガスにより押し出す燃料ガス配管パージを実施し、その後、前記燃料ガス遮断弁を再度開くことにより、前記燃料ガスを前記燃焼器へ供給して点火するように制御することを特徴とする。
また、第４発明のガスタービンの起動停止制御装置は、第３発明のガスタービンの起動停止制御装置において、
前記ガスタービン起動時には、
回転駆動手段によって昇速される前記ガスタービン本体の回転数が所定の着火回転数に達したときから、第１の所定時間が経過するまでの間、前記ガスタービン停止時に前記排気ガスダクトに残った前記燃料ガスを、前記コンプレッサの圧縮空気により押し出す第１の排気ガスダクトパージと、
前記第１の所定時間が経過したときから、第２の所定時間が経過するまでの間、前記燃料ガス遮断弁を開けて、前記ガスタービン停止時に前記燃料ガス遮断弁と前記燃焼器との間の前記燃料ガス配管に残った前記パージガスを、前記燃料ガスにより押し出す燃料ガス配管パージと、
前記第２の所定時間が経過したときから、第３の所定時間が経過するまでの間、前記燃料ガス配管パージのときに前記排気ガスダクトに残った前記燃料ガスを、前記コンプレッサの圧縮空気により押し出す第２の排気ガスダクトパージと、
を順次実施するようにしたことを特徴とする。
【手続補正４】
【補正対象書類名】明細書
【補正対象項目名】００１７
【補正方法】変更
【補正の内容】
【００１７】
第１発明のガスタービンの起動停止方法又は第３発明のガスタービンの起動停止制御装置によれば、ガスタービン停止時に燃料ガス遮断弁と燃焼器との間の燃料ガス配管に残ったパージガスを燃料ガスにより押し出す燃料ガス配管パージを実施するため、従来のような燃料ガス配管に残留しているパージガス（窒素ガス）によって燃料ガスが正常に着火しないという不具合を解消することができ、安定した燃料ガスの着火が可能となる。
また、第２発明のガスタービンの起動停止方法又は第４発明のガスタービンの起動停止制御装置によれば、ガスタービン停止時に排気ガスダクトに残った燃料ガスを、コンプレッサの圧縮空気により押し出す第１の排気ガスダクトパージに加えて、燃料ガス配管パージのときに排気ガスダクトに残った燃料ガスをコンプレッサの圧縮空気により押し出す第２の排気ガスダクトパージも行うため、燃料ガス配管パージの際に燃料ガスがガスタービン本体や排気ガスダクトにまで流れ込んで残留しているとしても、当該燃料ガスが排気ガスダクト内などで燃焼する防止することもできる。